【事件の表示】
　昭和６２年特許願第２２９９８７号「光学式情報再生装置」拒絶査定に対する審判事件［平成　１年　３月１７日出願公開、特開平　１−　７２３８０］について、次のとおり審決する。
【結　論】
　本件審判の請求は、成り立たない。
【理　由】
１．手続きの経緯・本願発明
　本願は、昭和６２年９月１４日の出願であって、その発明の要旨は、平成１２年２月１４日付け手続補正書により補正された明細書からみて、その特許請求の範囲第１項に記載されたとおりの
「（１）光学式情報記録媒体に記録された情報を再生する光学式情報再生装置であって、
　前記光学式情報記録媒体には、光学的に読取られる情報が情報トラック上に記録されており、
　前記情報トラックは、音声情報などの主情報が記録される主情報領域と、
　前記主情報の内容を示す内容情報が記録される内容情報記録領域とを具備し、
　前記光学式情報再生装置は、前記主情報記録領域に記録されていた主情報の再生に先立って前記内容情報記録領域を再生する再生手段と、
　前記再生手段が再生した前記内容情報および再生指定情報に基づいて、前記主情報を区別して再生する再生区別手段と、
　を具備し、
　前記再生指定情報は、再生すべき主情報の光学式情報記録媒体における位置情報を指定するために前記再生区別手段に提供されることを特徴とする光学式情報再生装置。」
にあるものと認める。
　本願については、平成１２年８月１１日付けの手続補正がなされたが、これは、平成１２年９月１日付けの補正却下の決定により却下された。
２．引用例
　これに対して、当審における拒絶の理由に引用された、特開昭５７−５０３７５号公報（以下、引用例１という。）には、
「本発明は、オーディオ情報やビデオ情報等の主たる情報がほぼ同心円状のトラック内にアドレスを付与した情報単位の形態で記録された円板状記録担体に関するものであり、その目的とするところは前記円板状記録担体を再生する円板状記録担体再生装置において、この円板状記録担体に記録された主たる情報の内容表示または所望の主たる情報の頭出しに必要な情報その他必要事項を１箇所にまとめて記録し、再生時にまず最初にこれらを読取記憶し、後はこれらの記憶された情報を用いて、所望の主たる情報の頭出しや内容表示などを簡単にかつ迅速に行うことのできる円板状記録担体を提供することにある。」（引用例１の第１頁下左欄第１５行目〜同頁下右欄第７行目）、
「各曲の曲目及び曲順そして各曲の曲の頭部分のアドレスを、この円板状記録担体が再生される時の最初の部分、例えば外周から内周に向かって再生されるときは情報トラックの最外周部分に、また内周から外周に向かって再生される時は情報トラックの最内周部分に記録する様にしたものである。」（引用例１の第２頁下左欄第１７行目〜同頁下右欄第２行目）、
「周期的な同期信号３１，３２，３３，３４と各ブロック内の内容が曲の頭出し用のアドレス情報や曲目表示情報なのか、またはオーディオ情報なのかを識別するための識別情報３５，３６，３７，３８がある。そして再生時には初めに曲順を示す曲順信号３９とその曲の頭部部分のアドレスを示すアドレス情報４０と、その曲の曲名表示情報４１を含むブロックが、その記録担体に記録されている曲数の分だけ送られて来る。その後、各ブロック毎にアドレス信号４２，４３を含むブロックがオーディオ情報４４を送ってくる。読取装置の構成例を第４図に示す。
記録担体２１から所望のオーディオ信号２４ａを再生する部分の構成は第２図とほとんど同じである。記録担体２１の再生を開始して最初に復調回路２３から出力されるディジタル信号２３ａを前記識別信号から識別して、曲の頭出し用のアドレス情報と曲名表示情報を曲順信号に対応させて記憶装置５１へ順次記憶する。制御回路５２では利用者５４からのアドレス信号５４ａによつて、制御信号５２ａを発生しこれにより記憶装置５１から所望のアドレス信号と曲名表示情報を含む読出信号５１ａを得る。そして、第２図と同様に現在再生中のアドレス信号と読出信号５１ａのアドレス情報を演算比較して、読取装置２２へ制御信号５２ｂを出力する。所望のアドレスを検出したところで曲目表示情報を含む制御信号５２ｃを表示装置駆動回路５３へ出力し、曲目を表示装置５５で表示する。この様に、再生時にまず曲の頭出し用のアドレス情報や曲目表示情報を曲順に対応させて全て記憶しておくことにより、所望の曲の頭出しをする動作と曲目表示の動作とは並列して行なう必要がなくなるため制御回路の動作が簡単になる。」（引用例１の第２頁下右欄第５行目〜第３頁上左欄第１８行目）、
「以上のように本発明によれば、主たる情報の内容表示のための情報や主たる情報の頭出しのための情報などを再生される情報トラックの最初の部分にまとめて記録してあるため、頭出しの内容表示のためのアドレスサーチは簡単にしてすばやくできるものである。」（引用例１の第３頁下左欄第４〜９行目）と記載されている。また、第３図には円板記録担体へのアドレス記録形式の一実施例を説明するための図が、第４図には同方式に適合する読取装置の構成ブロック図が示されている。
これらの記載からみて引用例１には次のことが記載されているものと認められる。
「円板状記録担体を再生する円板状記録担体再生装置において、
　円板状記録担体には、オーディオ情報やビデオ情報等の主たる情報がほぼ同心円状のトラック内にアドレスを付与した情報単位の形態で記録されており、
　　周期的な同期信号３１，３２，３３，３４と各ブロック内の内容が曲の頭出し用のアドレス情報や曲目表示情報なのか、またはオーディオ情報なのかを識別するための識別情報３５，３６，３７，３８とがあり、
　同期信号３１、識別信号３５、曲順を示す曲順信号３９と、その曲の頭部分のアドレスを示すアドレス情報４０と、その曲の曲名表示情報４１とからなるブロックと、
　同期信号３３、識別情報３７、アドレス信号４２と、オーディオ情報４４を含むブロックと、
　円板状記録担体に記録されている主たる情報の曲順を示す曲順信号３９と、その曲の頭出しに必要なアドレス情報４０と、その曲の曲名表示情報４１とを含むブロックを、この円板状記録担体が再生される時の情報トラックの最初の部分に記録し、
　記録担体２１からの信号２１ａを読取り波形整形して出力信号２２ａを出力する読取装置２２と、
　入力信号２２ａをディジタル信号２３ａに復調する復調回路２３と、
　記録担体２１の再生を開始して最初に復調回路２３から出力されるディジタル信号２３ａを識別して、曲の頭出し用のアドレス情報と曲名表示情報を曲順信号に対応させて順次記憶する記憶装置５１と、
　利用者５４からのアドレス信号５４ａによつて、制御信号５２ａを発生しこれにより記憶装置５１から所望のアドレス信号と曲名表示情報を含む読出信号５１ａを得て、現在再生中のアドレス信号と読出信号５１ａのアドレス情報を演算比較して、読取装置２２へ制御信号５２ｂを出力する制御回路５２と、
　を具備した記録媒体読取装置。」
３．対比
　そこで、本願の特許請求の範囲第１項に記載された発明（以後、本願発明という。）と、引用例１のものとを対比すると、引用例１の「円板状記録担体」、「円板状記録担体再生装置」は、本願発明の、「情報記憶媒体」、「情報再生装置」に相当し、また、引用例１の「トラック」、「オーディオ情報」、「同期信号、識別情報、アドレス信号と、オーディオ情報を含むブロック」、「曲順を示す曲順信号と、その曲の頭部分のアドレスを示すアドレス情報と、その曲の曲名表示情報」、「同期信号、識別信号、曲順を示す曲順信号と、その曲の頭部分のアドレスを示すアドレス情報と、その曲の曲名表示情報とからなるブロック」、「アドレス情報」は、本願発明の「情報トラック」、「音声情報など」、「主情報領域」、「内容情報」、「内容情報記録領域」、「位置情報」に相当すると認められるので、両者の一致点、相違点は次のとおりである。
〈一致点〉
「情報記録媒体に記録された情報を再生する情報再生装置であって、
　前記情報記録媒体には、読取られる情報が情報トラック上に記録されており、
　前記情報トラックは、音声情報などの主情報が記録される主情報領域と、
　前記主情報の内容を示す内容情報が記録される内容情報記録領域とを具備し、
　前記情報再生装置は、前記主情報記録領域に記録されていた主情報の再生に先立って前記内容情報記録領域を再生し、
　　前記内容情報記録領域を再生した情報に基づいて、再生すべき主情報の情報記録媒体における位置情報を指定することにより、前記主情報を区別して再生する
ことを特徴とする情報再生装置。」
（相違点）
（相違点１）情報記憶媒体と情報再生装置とが、本願発明では光学式と記載されているのに、引用例１では記載されていない点。
（相違点２）本願発明では、光学式情報再生装置が、主情報記録領域に記録されていた主情報の再生に先立って内容情報記録領域を再生する再生手段と、再生手段が再生した内容情報および再生指定情報に基づいて、主情報を区別して再生する再生区別手段とを具備しているのに対して、引用例１には、そのような再生手段、再生区別手段が明記されていない点。
（相違点３）本願発明の、再生指定情報は、再生すべき主情報の光学式情報記録媒体における位置情報を指定するために再生区別手段に提供されるのに対して、引用例１には明記されていない点。
４．当審の判断
　そこで、上記相違点を検討すると、
（相違点１）について、光学式情報記憶媒体、光学式情報再生装置は周知のものであるのであるから、引用例１のものを光学式のものとすることは当業者が適宜に行えることである。
（相違点２）について、引用例１でも、「記録担体２１の再生を開始して最初に復調回路２３から出力されるディジタル信号２３ａを前記識別信号から識別して、曲の頭出し用のアドレス情報と曲名表示情報を曲順信号に対応させて記憶装置５１へ順次記憶する。」（引用例１の第２頁下右欄第１９行目〜第３頁上左欄第３行目）と記載されており、主情報の再生に先立って各曲の曲名及び曲順そして各曲の曲の頭部分のアドレスを再生することが記載されており、この再生する手段を再生手段とすることは当業者が適宜行えることである。
　また、引用例１には、「制御回路５２では利用者５４からのアドレス信号５４ａによつて、制御信号５２ａを発生しこれにより記憶装置５１から所望のアドレス信号と曲名表示情報を含む読出信号５１ａを得る。そして、第２図と同様に現在再生中のアドレス信号と読出信号５１ａのアドレス情報を演算比較して、読取装置２２へ制御信号５２ｂを出力する。」（引用例１の第３頁上左欄第３〜１０行目）と記載されており、記憶装置５１から所望のアドレス信号と曲名表示情報を含む読出信号５１ａを得て、現在再生中のアドレス信号と読出信号５１ａのアドレス情報を演算比較して、読取装置２２へ制御信号５２ｂを出力して、所望の曲の頭出しを行っており、この動作を行う手段を、再生区別手段と言うことは、当業者が適宜行えることである。
（相違点３）について、引用例１では、制御回路で、記憶装置から所望の曲の頭出し用のアドレス情報と曲名表示情報を含む読出信号を得て、この曲の頭出し用のアドレス情報は、再生すべきオーディオ情報の情報記録媒体におけるアドレス情報を指定するためのものであるから、引用例１の曲の頭出し用のアドレス情報が、本願発明の再生指定情報に相当しており、このアドレス情報が、上記相違点２で述べたように再生区別手段を構成する制御回路５２に提供されているから、引用例１においても、本願発明のように、再生指定情報（頭出し用のアドレス情報）は、再生すべき主情報（オーディオ情報）の光学式情報記録媒体（円板状記録担体）における位置情報（アドレス）を指定するために再生区別手段（制御回路等）に提供されてるものと認められる。
　　そして、本願発明は、前記引用例１のものから予測できる作用効果以上の顕著な作用効果を奏するものとは認められない。
５．むすび
　従って、本願発明は、当審における拒絶の理由に引用された引用例１に基づいて当業者が容易に発明をすることができたものであるから、特許法第２９条第２項の規定により特許を受けることができない。
　よって、結論のとおり審決する。